(57)【要約】【課題】  本発明は、合成樹脂成形品の表面に金属薄膜を積層することによりメタリック調の表面外観が付与された加飾成形品において、メタリック調の外観に繊細な模様を付与することができ、金属をエッチング加工して凹凸状に模様を形成したような立体的な視覚効果付与することができ、そして加飾目的に応じて模様の変更が容易に実施可能な加飾方法を創出することを技術的課題とするものである。【解決手段】  合成樹脂成形品の表面の所定の領域にオンデマンド機能を有するインクジェット印刷機により印刷層を形成し、この印刷層により表面の所定の領域を粗面化し、さらに成形品の表面を印刷層の上から金属薄膜層で被覆し、前記粗面化した印刷層により金属箔膜層にシボ加工状の表面外観を付与する。【選択図】            図１
2014167064.tif 000002
【特許請求の範囲】
【請求項１】
合成樹脂成形品の表面の所定の領域にオンデマンド機能を有するインクジェット印刷機により印刷層(3)を形成し、該印刷層(3)により前記表面の所定の領域を粗面化し、さらに前記印刷層(3)の上から成形品の表面を金属薄膜層(4)で被覆し、前記粗面化した印刷層(3)により金属箔膜層(4)にシボ加工状の表面外観を付与することを特徴とする合成樹脂成形品の表面加飾方法。
【請求項２】
印刷インクの種類と、成形品の表面の単位面積当たりに吐出する前記印刷インクの液滴数を含む印刷条件の調整により、印刷層(3)による粗面化の態様を調整する構成とした請求項１記載の表面加飾方法。
【請求項３】
金属箔膜層(4)を金属蒸着膜によるものとした請求項１または２記載の表面加飾方法。
【請求項４】
表面の所定の領域を、オンデマンド機能を有するインクジェット印刷機による印刷層(3)で粗面化したものとし、前記印刷層(3)の上から成形品の表面を金属薄膜層(4)で被覆したものとし、前記印刷層(3)による粗面化により金属箔膜層(4)にシボ加工状の表面外観が付与されていることを特徴とする表面加飾成形品。
【請求項５】
印刷層(3)を形成した印刷部分(Ra)と印刷層(3)を形成しない非印刷部分(Rn)で模様を現出する構成とした請求項４記載の表面加飾成形品。
【請求項６】
印刷層(3)による粗面化の態様をグラデーション状に変化するものとし、金属薄膜層(4)によるメタリック調の表面外観がグラデーション状に変化する構成とした請求項４または５記載の表面加飾成形品。
【発明の詳細な説明】
【技術分野】
【０００１】
本発明は合成樹脂成形品の表面の加飾方法及び、加飾成形品に関する。
【背景技術】
【０００２】
パッケージにおける加飾性が商品力の大きな部分を占める化粧料用等の容器においては、塗装、印刷等によりさまざまな装飾性を発揮させて商品イメージを大きく向上させることが望まれている。
たとえば特許文献１には、ホットスタンプ法を用いてメタリック状の加飾が立体的に施された化粧料容器に係る発明が記載されており、金属調の光沢を表面に付与することにより高級なイメージを付与することができるとしている。
【先行技術文献】
【特許文献】
【０００３】
【特許文献１】特開平６−２８６３９７
【発明の概要】
【発明が解決しようとする課題】
【０００４】
ここで、上記した従来技術は成形品表面に凸模様を予め一体形成し、その凸模様の上面にホットスタンプにより金属箔膜を積層する等の方法であり、
成形品の表面に凸模様を形成するために金型のキャビティ面に凸模様に対応する凹模様を刻設する金型加工が必要であり、製品によって凸模様を変更することは
時間的にそして費用の面で困難である。
また、キャビティ面への凹模様の刻設工程や、成形時における模様の成形品表面への転写性という点から繊細な模様の形成が難しく、高級感という点でも不満が残る。
【０００５】
本発明は、合成樹脂成形品の表面に金属薄膜を積層することによりメタリック調の表面外観が付与され加飾成形品において、メタリック調の外観に繊細な模様を付与することができ、金属をエッチング加工して凹凸状に模様を形成したような立体的な視覚効果付与することができ、そして加飾目的に応じて模様の変更が容易に実施可能な加飾方法を創出することを技術的課題とするものである。
【課題を解決するための手段】
【０００６】
本発明は合成樹脂成形品の表面加飾方法と表面加飾成形品からなるが、
ここではまず表面加飾方法について説明し、次に当該加飾方法により実現が可能な表面加飾成形品について説明する。
上記課題を解決するための本発明の主たる加飾方法は、
合成樹脂成形品の表面の所定の領域にオンデマンド機能を有するインクジェット印刷機により印刷層を形成し、
この印刷層により表面の所定の領域を粗面化し、
さらに成形品の表面を印刷層の上から金属薄膜層で被覆し、
前記粗面化した印刷層により金属箔膜層にシボ加工状の表面外観を付与する、
と云うものである。
【０００７】
本発明の他の加飾方法は上記主たる加飾方法において、印刷インクの種類と、成形品の表面の単位面積当たりに吐出する前記印刷インクの液滴数を含む印刷条件の調整により、印刷層による成形品の表面の粗面化の態様を調整する、と云うものである。
【０００８】
本願の発明者らは合成樹脂成形品の表面に印刷層を積層して成形品の表面に加飾性を付与する検討の中で、インクジェット印刷機による印刷層により成形品の表面を粗面化できること、さらに印刷インクの種類、成形品の表面の単位面積当たりに吐出する前記印刷インクの液滴数を含む印刷条件により、印刷層による粗面化の態様を容易に、また多様に制御できることを見出し、本発明を想起するに至った。
なお上記構成において、オンデマンド印刷機能を有するインクジェット印刷機とは、予めコンピューターに設定して記憶させたパターンに沿って、印刷インクの種類、成形品の表面の単位面積当たりに吐出する前記印刷インクの液滴数を含む印刷条件を変化そして調整させながら被印刷物に印刷層を形成することが可能なインクジェット印刷機を指す。
なお、上記構成で「粗面化の態様」とは、凹凸の大きさに係る所謂、表面粗度の他にも、ドット状や、縦スジ状や、織物状等の凹凸の形成パターン含む概念である。
また、成形品の表面を金属薄膜層で被覆する範囲は、加飾目的に応じて選択することができ、成形品の表面全体を被覆することも、たとえば外側から見える範囲だけと云うように限定された範囲だけを被覆することもできる。
【０００９】
そして、上記加飾方法によれば、オンデマンド機能を有するインクジェット印刷機による印刷層で成形品の表面の粗面化を実現するため、粗面化する領域を繊細な模様状に形成することが可能となる。
また、加飾目的に応じて前述したように印刷条件により粗面化の態様を変更することができ、さらに粗面化する個々の領域の中においても粗面化の態様を繊細に変化させることが可能となる。
そして、成形品の表面を印刷層の上から金属薄膜層で被覆することにより、金属箔膜層にシボ加工状の表面外観を付与することができ、メタリック調の外観の変化による繊細な模様を現出させることが可能となる。
また、オンデマンド印刷機によれば繊細な形状も、高い精度で位置合わせをしながら重ね印刷することができ、印刷層を層厚に、所謂、厚盛状に形成すこともでき、金属箔膜層によるメタリック調の加飾効果が相俟って、より立体的な視覚効果を高品位に現出させることができる。
【００１０】
また、上記加飾方法は金型面を粗面化することなく、成形品の表面を粗面化することができ、加飾目的に応じて、すなわちオンデマンドで加飾の態様を容易に修正、変更することが可能となる。
【００１１】
本発明のさらに他の加飾方法は上記主たる加飾方法において、金属箔膜層を金属蒸着膜によるものとする、と云うものである。
【００１２】
上記のように金属箔膜層を金属蒸着膜によるものとすることにより、金属箔膜層を印刷層の表面の粗面化した形状沿って極く薄く積層することができ、印刷層による粗面化の態様を、金属薄膜層の表面に再現よく現出させることが可能である。
また、金属箔膜層の印刷層への密着性も十分に発揮される。
【００１３】
次に、本発明の表面加飾成形品に係る主たる構成は、
表面の所定の領域を、オンデマンド機能を有するインクジェット印刷機による印刷層で粗面化したものとし、
印刷層の上から成形品の表面を金属薄膜層で被覆したものとし、
印刷層による粗面化により金属箔膜層にシボ加工状の表面外観が付与されている、と云うものである。
【００１４】
上記構成の加飾成形品は、前述したようにオンデマンド機能を有するインクジェット印刷機による印刷層で成形品の表面の粗面化を実現したものであり、
粗面化する領域を繊細な模様状にすることが可能であり、
また、加飾目的に応じて前述したような印刷条件により粗面化の態様を変更することができ、さらに粗面化する個々の領域の中においても粗面化の態様を繊細に変化させることも可能で、
金属箔膜層にシボ加工状の表面外観が付与され、メタリック調の外観の変化による繊細な模様を現出させることが可能となる。
【００１５】
本発明の表面加飾成形品に係る他の構成は、上記主たる構成において、印刷層を形成した印刷部分と印刷層を形成しない非印刷部分で模様を現出する構成とする、と云うものである。
【００１６】
成形品の成形に使用する金型面をたとえば鏡面仕上げしたものとしておけば、金属箔膜層が、印刷層の非印刷部分では鏡面状の光沢を有し、印刷部分ではマット状（艶消し状）の光沢を有す部分とすることができ、
非印刷部分で文字や図案を描くと、鏡面状の光沢を有する文字や図案が、マット状となった印刷部分により縁取りされ、実際には印刷層の厚さ分、凹状に形成されている非印刷部分による文字や図案が、凸状に浮き上がったように見える視覚効果が発揮される。
一方、マット状の印刷部分では鏡面状の金属をエッチング加工した部分であるかのような視覚効果が付与される。
勿論、金型面を鏡面仕上げしなくても、非印刷部分と印刷部分で金属箔膜層の光沢性を変化させて模様を現出させることも可能である。
【００１７】
本発明の表面加飾成形品に係るさらに他の構成は、上記主たる構成において、
印刷層による粗面化の態様をグラデーション状に変化させ、金属薄膜層によるメタリック調の外観がグラデーション状に変化する構成とする、と云うものである。
【００１８】
前述した本発明の加飾方法によれば、印刷層の粗面化の態様を容易グラデーション状に変化させることができ、上記構成の加飾態様も容易に実現することが可能である。
【発明の効果】
【００１９】
本発明の合成樹脂成形品の表面加飾方法及び表面加飾成形品は上記のような構成であり、本発明の表面加飾方法によれば、オンデマンド機能を有するインクジェット印刷機による印刷層で成形品の表面の粗面化を実現するため、粗面化する領域を繊細な模様状に形成することができ、
さらに、成形品の表面を印刷層の上から金属薄膜層で被覆することにより、金属箔膜層にシボ加工状の表面外観を付与することができ、メタリック調の外観の変化による繊細な模様を現出させることができる。
【００２０】
また、本発明の表面加飾方法は金型キャビティ面を粗面化することなく、成形品の表面を粗面化することができ、加飾目的に応じて印刷条件により粗面化の態様を容易に変更することができ、謂わば、オンデマンドでメタリック調の加飾態様を容易に修正、変更することができる。
【図面の簡単な説明】
【００２１】
【図１】本発明の表面加飾成形品の第１実施例である表面を加飾した蓋体の平面図である。
【図２】図１の蓋体の概略的な層構成を示す断面図である。
【図３】インクジェット印刷機のヘッドの構成を示す概略説明図である。
【図４】本発明の表面加飾成形品の第２実施例である表面を加飾した蓋体の平面図である。
【発明を実施するための形態】
【００２２】
以下、本発明の実施の形態を、図面を参照しながら説明する。
図１、２は本発明の表面加飾成形品の一実施例を示し図１は平面図、図２は層構成を示す縦断面図である。
本実施例の加飾成形品において成形品はコンパクト容器の蓋体１で、矩形状の頂壁の表面側の所定の領域に印刷層３を形成し、この印刷層３の上から、頂壁と側壁を含む表面側と裏面側の全領域を金属蒸着膜による金属箔膜層４で被覆し、さらにこの金属箔膜層４を被覆するようにアクリル樹脂系の塗料をＵＶ硬化させて形成した無色透明な保護層５を積層している。
【００２３】
蓋体１はＡＢＳ樹脂製の射出成形品であり、射出成形においてキャビティ面の蓋体１の表面側に相当する範囲を鏡面仕上げした金型を使用することにより、表面側は鏡面状の光沢を有する。
【００２４】
印刷層３は、オンデマンド機能を有するインクジェット印刷機により形成したものであり、本実施例では印刷層３を蓋体１の頂壁の表面側の所定の領域に形成、積層しており、インクジェット印刷機による印刷層３を形成することにより、当該印刷部分Ｒａの表面を粗面化することができ、この印刷部分Ｒａでは金属箔膜層４にシボ加工状、表面光沢と云う観点で見るとマット状（艶消し状）の表面外観が付与されている。
そして、印刷層３の印刷条件により粗面化の態様を変えることにより、金属箔膜層４におけるシボ加工状、あるいはマット状の表面外観を容易に変更することができる。
【００２５】
本実施例では印刷条件を変えて印刷層３を形成し、図１に示すように粗面化の程度が異なる印刷部分Ｒａ１、Ｒａ２を形成している。
さらに詳述すると、印刷部分Ｒａ１は頂壁の表面側の、周縁を除く大半の領域を占めており、この印刷部分Ｒａ１の中で、印刷部分Ｒａ２により雪の結晶を現出し、印刷層３が形成されていない鏡面状の非印刷部Ｒｎにより星形を現出するようにしている。
ここで、印刷部分Ｒａ２では、印刷部分Ｒａ１に比較してインクジェット印刷機による成形品の表面の単位面積当たりに吐出する前記印刷インクの液滴数を多くして印刷層３を形成することにより粗面化の程度を緩和して、印刷部分Ｒａ１に比較して高い光沢を有する部分になるようにしている。
なお、図１また後述する図４では粗面化による光沢の変化を黒色の塗潰し濃度で表している。
【００２６】
そして、鏡面状の非印刷部Ｒｎによる星形はシボ加工による表面形態の一つである梨地状となった印刷部分Ｒａ１により縁取られた状態となり、実際には印刷層３の厚さ分凹状に形成されている非印刷部Ｒｎによる星形が浮き上がったように凸状に見えるような視覚効果が発揮される。
また、マット状の印刷部分Ｒａ１では鏡面状の金属をエッチング加工した部分であるかのような視覚効果が発揮される。
【００２７】
ここで、図３はインクジェット印刷機に使用されるヘッド部３１の代表的な例の概略説明図で、印刷インクのノズル３２の配設態様をみたものである。
このヘッド部３１の例は６つのヘッドｈ１、ｈ２、ｈ３、ｈ４、ｈ５、ｈ６を並列状配設したもので各ヘッドには多数のノズル３２が配設されており、
この６つのヘッドにシアン（Ｃ）、マゼンダ（Ｍ）、イエロー（Ｙ）、ブラック（Ｂｋ）、ホワイト（Ｗ）、クリア（透明）（Ｃｌ）のインクが割り振られている。
そして、ヘッド部３１を図中、白抜き矢印で示した方向にスキャンしながら、予めコンピューターに記憶させた吐出パターンに沿って、各ヘッドの各ノズル３２から被印刷物の表面に、数ｐｌ（ピコリットル）から数１０ｐｌ（ピコリットル）の印刷インクからなる液滴を吹き付けて印刷する。
【００２８】
上記したインクジェット印刷機の印刷機構からみると、表面の粗面化の基本的な構成要素はそれぞれのノズルから成形品表面に吹き付けられる個々の小さな印刷インクの液滴から形成されるドットであり、
インクの種類や成形品の表面の単位面積当たりに吐出する液滴数により、成形品の表面でこの液滴から形成されるドットの積重状態を調整し、成形品の表面の粗面化の態様、さらには金属箔膜層のシボ加工の態様、光沢の程度、艶消しの程度を調整することができる。
そして、単位面積当たりに吐出する印刷インクの液滴数は、たとえば、図３中の各ヘッドｈ１、ｈ２、ｈ３、ｈ４、ｈ５、ｈ６のうちいくつのヘッドを使用するか、さらには個々のヘッドに配設されている多数のノズル３２のうちいくつのノズル３２から液滴を吐出させるか等の印刷条件により調整することができる。
また、たとえば異なる種類のインクを前述した６つのヘッドから吐出させることにより、成形体の表面でこれら６種のインクの液滴を重ねることにより、さらに粗面化の程度を微調整することが可能となる。
【００２９】
また、上記したように表面の粗面化の基本的な構成単位はインクからなる液滴によるもので、その凹凸パターンは基本的にはドット状であるが、オンデマンド機能を有するインクジェット印刷機の機能により液滴を、たとえば縦スジ状、織物状のパターンに並べて凹凸の深さ（粗度）だけでなく、さまざまな態様のパターンで粗面化し、シボ加工状の外観を現出させることができる。
【００３０】
次に、図４は本発明の表面加飾成形品の第２実施例の平面図で、本実施例の加飾成形品は図１、２に示した第１実施例の加飾成形品と比較すると、成形品は第１実施例と同じコンパクト容器の蓋体１であり、オンデマンド機能を有するインクジェット印刷機による印刷層３の形成態様が異なる。
図４に示されるように、図中、６角形状の非印刷部Ｒｎ２と、この非印刷部Ｒｎを縁取る濃度の低い黒色に塗り潰した印刷部分Ｒａ４と、この印刷部分Ｒａ４を縁取る黒色に塗り潰した印刷部分Ｒａ３と、さらにこの印刷部分Ｒａ３を縁取る非印刷部Ｒｎ１により亀の甲羅状の図案を現出させたものである。
ここで、印刷部分Ｒａ４では印刷部分Ｒａ３に比較して成形品の表面の単位面積当たりに吐出する液滴数を多くして印刷層３を形成することにより、粗面化の程度を緩和して印刷部分Ｒａ３に比較して高い光沢を有する部分になるようにしており、鏡面状のメタリック調の光沢を有する６角形状の非印刷部Ｒｎ２が浮き上がったような３次元的な視覚効果が現出される。
また、非印刷部分Ｒｎ１による細い線もくっきりと現出させることができ高品位な加飾性を実現することができる。
【００３１】
ここで、本実施例では非印刷部分Ｒｎ２、印刷部分Ｒａ４、印刷部分Ｒａ３というように、段階的に鏡面状態から艶消し状態に変化させる構成としているが、オンデマンド機能を有するインクジェット印刷機によれば、非印刷部分Ｒｎ２の鏡面状態から印刷部分Ｒａ３の艶消し状態に至るまで連続的にグラデーション状にその光沢を変化させることも可能である。
【００３２】
以上、本発明の表面加飾方法及び表面加飾成形品について、その実施の形態を実施例に沿って説明したが、本発明の実施の形態は上記実施例に限定されるものではない。
たとえば、上記実施例では成形品をコンパクト容器の蓋体としたが、インクジェット印刷機は成形品の表面に非接触で印刷することができ、湾曲面を有するたとえばボトル等の成形品についても十分適用することができる。
また、オンデマンド機能を有するインクジェット印刷機の機能を生かしてシボ加工のパターンをドット状だけでなくスジ状、織物状等さまざまなパターンで現出させることもできる。
【産業上の利用可能性】
【００３３】
以上説明したように本発明による成形品の表面加飾方法はインクジェット印刷機による印刷層の特徴を利用して、金属薄膜層によるメタリック調の外観に繊細な模様を付与し、金属をエッチング加工して凹凸状に模様を形成したような立体的な視覚効果を付与して高級感を呈することができるものであり、さらには加飾目的に応じて模様の変更が容易に実施できるものであり、化粧品容器等の分野での幅広い利用展開が期待される。
【符号の説明】
【００３４】
１  ；蓋体（成形品）
３  ；印刷層
４  ；金属箔膜層
５  ；保護層
３１；（インクジェット印刷機の）ヘッド部
３２；ノズル
ｈ１、ｈ２、ｈ３、ｈ４、ｈ５、ｈ６；ヘッド
Ｒａ（Ｒａ１、Ｒａ２、Ｒａ３、Ｒａ４）；印刷部
Ｒｎ（Ｒｎ１、Ｒｎ２）；非印刷部
【図２】
2014167064.tif 000003
【図３】
2014167064.tif 000004
【図１】
2014167064.tif 000005
【図４】
2014167064.tif 000006